(57)【要約】      （修正有）【課題】流路の開閉や切換え等、多様な用途に用いられてきたボールバルブ操作は手動で簡易に行うことができ、回動スペースも不要な丸型ハンドルが使用されるが、異物付着等で固着して手動でのハンドル操作が困難な場合に、一般の工具を掛けることができるボールバルブを提供する。【解決手段】丸型ハンドル１の中心ボス部２にレンチ掛け３を形成し、固着により回動操作が困難となった丸型ハンドルについて、形成したレンチ掛け３にレンチを掛けてレンチによる強力な回動力により固着を解き回動操作を行えるようにした。【選択図】図２
2014206248.tif 000002
【特許請求の範囲】
【請求項１】
丸型ハンドルの中心ボス部にレンチ掛けを形成したことを特徴とする水道用ボールバルブ操作用丸型ハンドル
【請求項２】
中心ボス部の上面にレンチ掛けを突設するようにした請求項１記載の水道用ボールバルブ操作用丸型ハンドル
【請求項３】
中心ボス部の下端基幹部をレンチ掛けに形成するようにした請求項１記載の水道用ボールバルブ操作用丸型ハンドル
【請求項４】
中心ボス部の上面に突設するレンチ掛けの中心肉抜き凹陥部の底部に水抜き孔を設定するようにした請求項２記載の水道用ボールバルブ操作用丸型ハンドル
【請求項５】
ハンドル操作輪の所定部位に、レンチグリップの延長支点が掛架する支柱を着脱可能に設定するようにした請求項１又は請求項２又は請求項３又は請求項４記載の水道用ボールバルブ操作用丸型ハンドル
【請求項６】
ハンドル表面の所定部位に、流水方向を示す表示記号を表示するようにした請求項１又は請求項２又は請求項３又は請求項４又は請求項５記載の水道用ボールバルブ操作用丸型ハンドル
【発明の詳細な説明】
【技術分野】
【０００１】
本発明は、止水栓や切換えバルブ装置等に用いられるボールバルブの回動に用いるハンドル、特に丸型ハンドルに関するものである。
【背景技術】
【０００２】
ボールバルブを用いたバルブ装置には様々な形態のものが存在するが、所定の軸線回りで回転可能に設けられると共に、軸線と直交する方向に貫通した連通路が形成された球状の弁体と、その弁体を収容する弁体収容室が形成されると共に、その弁体収容室を挟んで少なくとも二つの通水路が形成されたハウジングによって構成されている。
【０００３】
ボールバルブは流路の開閉や切換え等、多様な用途に用いられ、その回動操作については例えば特許文献１に記載されているようにハンドルやアクチュエータ等によっても行われるが、手動で簡易に行うことができ、回動スペースも不要なところから、丸型ハンドルが用いられることが多い。
【０００４】
一方、手動で円滑な操作では強力な締着が期待できない場合には、特許文献２に記載されるように締付け部をレンチ掛けに形成し、レンチによる強力な回動力を利用する手段が用いられてきている。
【先行技術文献】
【特許文献】
【０００５】
【特許文献１】特開２０１２−２３７３４４号公報
【特許文献２】特開２０１１−２５６９３９号公報
【発明の概要】
【発明が解決しようとする課題】
【０００６】
ボールバルブは、給水管の途中の止水栓として設置され、長期間開閉操作が行われない場合、球状の弁体やボールシートに錆び等の異物が付着し、それが固着して手動でのハンドル操作が困難になる場合があり、こうした場合、工具類をハンドルに掛ける等による強力な回動力を用いて固着を解いて操作するが、丸型ハンドルはその形態上、一般の工具を掛けることが困難であった。
【０００７】
従って、これまでは、先端に、ハンドルの形状に合わせてハンドルのボスと操作輪の間に挿入される爪を設定した特別な開栓器を用いて固着を開放して操作する方法が採られ、専用の開栓器を用意しなければならないという問題があった
【０００８】
また、丸型ハンドルを用いた止水栓は、蝶型ハンドルやレバー型ハンドルのように９０度開閉操作でハンドルの向きが変わることによる開閉状態の判別が困難なため、表示板等を使用して開閉状態の明確化を行っているが、部品点数が増加しコストアップの要因となる問題もあった。
【課題を解決するための手段】
【０００９】
本発明は上記した課題に対応しようとするものであり、丸型ハンドルの中心ボス部にレンチ掛けを形成し、固着により回動操作が困難となった丸型ハンドルをレンチによる強力な回動力により固着を解き回動操作を行えるようにした。
【００１０】
また、ハンドル表面の所定部位に、流水方向を示す表示記号を表示するようにして、ボールバルブの開閉状態を容易に判別できるようにした。
【発明の効果】
【００１１】
上記のように、固着により回動操作が困難となった丸型ハンドルについて、丸型ハンドルの中心ボス部に形成したレンチ掛けを利用して市販のレンチを掛架して直ちに強力な回動力により固着を解き回動操作が行え、特別な開栓器を用意する無駄を省くことができたものである。
【００１２】
更に、ハンドル表面の所定部位に表示するようにした流水方向を示す表示記号によってボールバルブの開閉状態が容易に判別でき、ボール弁体の９０度回動による送水状態が確実に把握できるようになった。
【図面の簡単な説明】
【００１３】
【図１】本発明の実施例による丸型ハンドルを使用した止水栓の全体構造と作動状況の一例を示すもので、（ａ）は止水栓機構部分を切欠断面とした全体正面図、（ｂ）は止水栓の開栓状態を示す（ａ）図におけるＡ―Ａ断面図、（ｃ）は止水栓の閉栓状態を示す（ａ）図におけるＡ―Ａ断面図
【図２】本発明の実施例を示すもので、中心ボス部の上面にレンチ掛けを突設した実施例を示す丸型ハンドルと止水栓の全体正面図
【図３】同じく、中心ボス部の下端基幹部をレンチ掛けに形成した実施例を示す丸型ハンドルと止水栓の全体正面図
【図４】同じく、中心ボス部の上面にレンチ掛けを突設した実施例における突設したレンチ掛けに中心肉抜き凹陥部を形成し、その底部に水抜き孔を設定した状態と、同実施例のハンドル表面に流水方向を示す表示記号を表示した状態を示す丸型ハンドルの平面図
【図５】同じく、図４におけるＡ―Ａ断面図
【図６】同じく、中心ボス部の上面にレンチ掛けを突設する実施例におけるレンチ掛けの各実施形態における平面図と側面図の対比図により、各実施形態例を示すもので、（ア）は六角タイプ、（イ）は四角タイプ、（ウ）は二面幅タイプ
【図７】同じく、中心ボス部の上面にレンチ掛けを突設した実施例において、ハンドル操作輪の所定部位に、レンチグリップの延長支点が掛架する支柱を着脱可能に設定した実施例を示す丸型ハンドルの平面図と側面図の対比図
【図８】同じく、ハンドル操作輪の所定部位に、レンチグリップの延長支点が掛架する支柱を着脱可能に設定した実施例におけるレンチ掛けにレンチを掛け、設定支柱にレンチグリップの延長支点が掛架して丸型ハンドルの回動を行う状況を示す説明図
【図９】同じく、ハンドル表面の所定部位に、流水方向を示す表示記号を表示する実施例における表示記号の実施形態例を示すもので、（ア）は片側タイプ、（イ）は持ち手部のみタイプ、（ウ）は持ち手部のみで三角タイプ
【発明を実施するための形態】
【００１４】
以下、図面を参照して本発明の実施の形態について詳細に説明すると、１は丸型ハンドルの本体で、止水栓のボール弁体５を回動操作する栓棒４１の上端を収嵌する中心ボス部２と、これから放射状に伸びるスポークアーム２１によって支持される操作輪２２から成り、操作輪２２を回動して栓棒４１を回動操作するようになっている。
【００１５】
４は止水栓本体で、その弁室４２に、中腹に貫通通水孔５１が穿設され、頂部に貫通通水孔の貫通方向と直交する嵌合溝５２が栓棒４１の下端と嵌合するボール弁体５を内蔵し、弁室４２の両側には１次側通水口４ａと２次側通水口４ｂが開口し、これを介して流水路１次側の配管継手部１１と２次側の配管継手部１２にそれぞれ連通するようになっている。
【００１６】
貫通通水孔５１は、常時は弁室４２の１次側通水口４ａと２次側通水口４ｂに沿って開口し、その開口部５ａと５ｂが図１の（ｂ）に示されるように１次側通水口４ａと２次側通水口４ｂとそれぞれ接合して１次側の配管継手部から２次側の配管継手部に連通する流路を形成している。
【００１７】
丸型ハンドル1が９０度回動されると、ボール弁体５は９０度回動されて貫通通水孔５１か方向を変えると共に、図１の（ｃ）に示されるように１次側通水口４ａと２次側通水口４ｂがそれぞれ１次側の配管継手部から２次側の配管継手部に連通する流路が閉鎖されて水流が止められるものである。
【実施例１】
【００１８】
本発明の実施形態としての実施例１を、図面を参照して説明する。
図２は中心ボス部２の上面にレンチ掛け３を突設した実施例を示すもので、レンチ掛け３の形態は止水栓本体の設定環境により、用意される回動レンチの形態に対応して図６の（ア）、（イ）、（ウ）の各形態が選定されることになる。
【００１９】
また、止水栓本体の形態により、丸型ハンドル１のレンチ掛け３の中心部の肉抜きを行って、材料の節約と重量軽減を図るようにする。栓棒４１との係合は肉抜き部３１の底部に栓棒４１頂部の収嵌スペース３２に抜けるビス穴３３を開けて栓棒４１の頂部をビス止めするが、肉抜き部３１の上部は開放されており雨水等が溜まるので水抜き孔を設けるか、ビス穴３３の側部に水抜き溝３４を形成するようにする。
【００２０】
更に、丸型ハンドルには、図４に示すように、従来から閉口回動方向を示す矢印とＳ、開口回動方向を示す矢印とＯの表示がなされてきたが、本発明のように９０度の回動によって止水栓の開閉が行われる場合、この表示だけではボールバルブの開閉状態が容易に判別できない問題がある。
【００２１】
本発明は上記の問題に対応して、ハンドル表面の所定部位に表示するようにした流水方向を示す表示記号３５によってボールバルブの開閉状態が容易に判別でき、ボール弁体の９０度回動による送水状態が確実に把握できるようにしている。
【００２２】
図９はハンドルのスポークアーム２１から操作輪２２の表面にかけて、或いは操作輪２２の表面に流水方向を示す表示記号３５の実施例を示すもので、レンチ掛け３の形態や止水栓本体の設定環境により、図９の（ア）、（イ）、（ウ）の各形態、或いは図７に示される形態が選定されることになる。
【００２３】
図７、８は、回動固着の強度が増し、レンチによる回動支点を大きくとる必要がある場合に対応する実施例を示すもので、上述の構成に加えてハンドル操作輪２２の所定部位に、レンチグリップＧの延長支点が掛架する支柱３６を着脱可能に設定するようにした。
【００２４】
支柱３６は、図７に示すように操作輪２２のスポークアーム２１によって支持される部位に螺合孔又は嵌合孔を設けて着合するようにし、常時は邪魔に成らぬように取り外しておくものである。丸型ハンドルの固着開放を行う場合には、図８に示されるようにレンチボックスをレンチ掛け３に掛け、レンチグリップＧの延長支点を支柱３６に掛架することにより安定した支持点を得ることができ、より安定した回動力を丸型ハンドルに加えることができる。
【実施例２】
【００２５】
実施例２は、中心ボス部２の下端基幹部をレンチ掛け３に形成するようにしたものであり、図３に示される通りハンドル表面に余計な突出がなく、栓棒４１がそのままレンチ掛け３に嵌合されることになるので、材料の節約と重量軽減の面では有利であるが、側方からレンチを掛架しなければならないため、強力で安定した回動力が得難い問題がある。
【産業上の利用可能性】
【００２６】
本発明に係る水道用ボールバルブ操作用丸型ハンドルは、従来から、流路の開閉や切換え等、多様な用途に用いられてきたボールバルブ操作について、手動で簡易に行うことができ、回動スペースも不要な丸型ハンドルの適用の難点であった回動固着の開放を容易にしたので、水道用器具の合理的活用を押し進めることができ、水道施設産業上に高度の利用価値を有するものである。
【符号の説明】
【００２７】
１      丸型ハンドル
１１    １次側配管継手部
１２    ２次側配管継手部
２      丸型ハンドルの中心ボス部
２１    丸型ハンドルのスポークアーム
２２    丸型ハンドルの操作輪
３      レンチ掛け
３１    レンチ掛けの肉抜き部
３２    中心ボス部下端の栓棒頂部収嵌スペース
３３    レンチ掛け肉抜き部底部のビス穴
３４    ビス穴側部の水抜き溝
３５    流水方向を示す表示記号
３６    レンチの延長支点が掛架する支柱
４      止水栓本体
４ａ    止水栓弁室の１次側通水口
４ｂ    止水栓弁室の２次側通水口
４１    止水栓の栓棒
４２    止水栓の弁室
５      止水栓のボール弁体
５ａ    ボール弁体の１次側開口部
５ｂ    ボール弁体の２次側開口部
５１    ボール弁体中腹の貫通通水孔
５２    ボール弁体頂部の栓棒嵌合溝
Ｇ      レンチグリップ
【図１】
2014206248.tif 000003
【図２】
2014206248.tif 000004
【図３】
2014206248.tif 000005
【図４】
2014206248.tif 000006
【図５】
2014206248.tif 000007
【図６】
2014206248.tif 000008
【図７】
2014206248.tif 000009
【図８】
2014206248.tif 000010
【図９】
2014206248.tif 000011